(57)【要約】【課題】本発明の主たる目的は、持ち手補給部の製造工程において接着ストリップを付与させる装置１の適用を通して、ショッピングバッグ、特にセルロース材料からなるショッピングバッグの製造の自動化を高めることにある。また、本発明は、パッケージの組立てのための自動装置において製造されたバッグやショッピングバッグの構造体に接着剤を直接付与し、もってショッピングバッグ自体の製造プロセス中に接着ストリップのコーティングやライナの付与を可能とする装置に関する。【選択図】図１
2017086877.tif 000002
【特許請求の範囲】
【請求項１】
持ち手補強部に接着剤を付与することからなり、続いて、前記接着剤の上に保護テープをかぶせて前記接着剤を封じて、ショッピングバッグの互いに対向する内面に前記接着剤が貼り付くことを防止するようになっており、それがシリコーン又は合成樹脂から作られ得ることを特徴とする、ショッピングバッグ閉鎖システム。
【請求項２】
請求項１に記載の、持ち手部に接着剤を付与するためのショッピングバッグ閉鎖・付与システムにおいて、
熱溶融性自己接着付与装置からなり、保護テープ繰出し装置により保護テープの付与が続けて行われることを特徴とする、ショッピングバッグ閉鎖・付与システム。
【請求項３】
請求項１に記載の、持ち手部に接着剤を付与するためのショッピングバッグ閉鎖・付与システムにおいて、
水性溶媒又は有機溶媒である希釈剤を蒸発させることにより乾燥を行う自己接着剤付与装置からなり、保護テープ繰出し装置により保護テープを付与することが続けて行われることを特徴とする、ショッピングバッグ閉鎖・付与システム。
【請求項４】
自己接着テープを付与するためのショッピングバッグ閉鎖・付与システムにおいて、
前記自己接着テープが持ち手補強部に直接的に付与され、前記自己接着テープが既にシリコーン又は合成樹脂から作られた保護テープを含み、もって、次続工程でのその付与の必要性を回避することを特徴とするショッピングバッグ閉鎖・付与システム。
【請求項５】
前記接着剤がショッピングバッグの外側に貼り付けられることを特徴とする、請求項１又は４に記載のショッピングバッグ閉鎖・付与システム。
【発明の詳細な説明】
【技術分野】
【０００１】
[001]本発明は、特定の機械においてバッグ及びショッピングバッグを製造するプロセスの期間中に接着剤を自動的に付与するための装置に関する。この付与は、この目的専用の工程を必要とすることなく、直線的に行われる。
【背景技術】
【０００２】
[002]ショッピングバッグの製造プロセス、特に紙やセルロース材料から作られるショッピングバッグの製造プロセスは、いくつかの工程、すなわち（１）平坦な材料のロールから筒状体を形成する工程と、（２）ショッピングバッグの構造となるように折り曲げる工程と、（３）ショッピングバッグの底部に補強部を付ける工程と、（４）持ち手補強部を製造する工程と、（５）持ち手補強部を付ける工程とを含んでいる。
【０００３】
[003]全ての工程は必須のものではなく、必要に応じて変更することができる。これらの工程のほぼ全てが、このタイプのパッケージの使用で必要とされる形状及び剛性を提供するために、接着剤の使用を含んでいる。
【０００４】
[004]前記製造方法を実施するための自動装置の一例が、Ｔ.Ｇｏｔｏｕに付与された米国特許第４９１５６７９号明細書に開示されている。
【０００５】
[005]この種の製造の特質は、市場や顧客の要請に応えるために、或いは特定のマーケティングキャンペーンにも応えるために、バッグ、ショッピングバッグ及びパッケージが個別化された形状やキャラクタをもって製造されていることである。また、この産業は結局のところ、多くの場合、一時的であり且つこの分野における習熟度が低く経験が浅い専門家が製造方法のこの工程を実施することになる労力を集約的に使用することで、個別態様でこれらの要請に適合することになる。この問題は、例えばＭ．Ｇ．Ｇｏｌｄｂｅｒｇによる米国特許出願公開２０１１００９１６７１号明細書にあるように、パッケージの製造の更なる自動化へと向かうものとされる。
【０００６】
[006]一時的労力が広く使用されることを必要とするこのような状況の一つが、繰返し開閉システムを有するパッケージが必要とされる場合に生ずることとなる。
【０００７】
[007]現在用いられている解決策は、所望の効果をもたらすためにショッピングバッグの開口に接着ストリップ（帯状体）又は接着バンドを付与することである。この付与は、パッケージの形を完成させた後、後続の製造工程において行われるが、そこから、あらゆる困難さ、例えば特別な製造ラインの体系化、人員の配置、工場スペースの配分、又はこれが実施不可能である場合には、輸送に含まれる余分な費用と時間がかかる他の工場でこのラインを体系化する必要性などが生ずる。さらに、格別な状況で製造がなされる事実に関連されるミスによる効率低下のような事案にも留意しなければならない。
【０００８】
[008]このような要素は全て、パッケージ製造業者の業務に悪影響を与え、最終コストの増加につながる。
【発明の概要】
【０００９】
[009]本発明の主たる目的は、持ち手補給部の製造工程において接着ストリップを付与させる装置の適用を通して、ショッピングバッグ、特にセルロース材料からなるショッピングバッグの製造の自動化を高めることにある。
【００１０】
[0010]本装置は、現在ではパッケージの最終製造工程の後でのみ行われなければならない工程の実施を、製造プロセスの初期に、製造効率の向上と損失の低減をもって行うことを可能とする。
【００１１】
[0011]提案された装置の他の特徴は、接着テープの付与を可能とするばかりでなく、最終製品を多用なものとする化学的接着剤の付与も可能とすることである。
【００１２】
[0012]さらに、本装置は、パッケージのいかなる側にも、すなわち、パッケージの開口の内側と外側の両方にも接着剤を付与することができる。
【００１３】
[0013]製造プロセスに与えられる単純性は、付与システムに関して長手方向に延びる紙の細長いストリップから持ち手補強部が製造され、熱溶融性接着剤又は気借財蒸発乾燥型接着剤が静的に適用される単一ノズルによる連続的な付与、及び、予備テープを挿入する場合に保護が既に与えられている保護テープ又は自己接着テープの繰出しを可能とするという事実に起因する。
【００１４】
[0014]米国特許出願公開第２０１１００９１６７１号明細書に開示されているような、繰出し方向に対して横方向にショッピングバッグに付与するためのシステムは、接着剤の付与、主として保護テープの付与を困難にさせるマルチノズル又は可動ノズルのシステムを必要とする。
【００１５】
[0015]本装置は、組立装置の使用を可能とすると共に、ショッピングバッグ製造装置内に既にある持ち手の付与を可能とし、もって閉鎖システムの実装コストを大幅に減じる。
【００１６】
[0016] 持ち手補強部に接着剤を付与するための装置を符号１で示す添付の図１に示されるショッピングバッグ製造装置において使用中の本装置は、ショッピングバッグ自動製造装置に設置される。
【００１７】
[0017]上述した解決手段は、ショッピングバッグ、特に閉鎖に特徴を有することを意図したショッピングバッグ（例えばギフトにおけるもの、封止部を有するもの、当業者に「再閉鎖可能」として知られる繰り返しの開閉、ショッピングバッグの外側に特徴的な印を付与する必要があるもの）の自動製造を促進する。
【図面の簡単な説明】
【００１８】
【図１】本発明による装置を示す図である。
【符号の説明】
【００１９】
１…本発明による装置
【図１】
2017086877.tif 000003
【外国語明細書】
2017086877000001.pdf